(57)【要約】【課題】庇として機能する場合に庇の長さを調整可能にする。【解決手段】シャッタ１０では、上シャッタ３６又は上シャッタ３６及び中シャッタ３８がシャッタ枠２０に対し室外側へ所定角度回動されてロックされることで、上シャッタ３６又は上シャッタ３６及び中シャッタ３８が庇として機能する。ここで、上シャッタ３６を庇として機能させるか、又は、上シャッタ３６及び中シャッタ３８を庇として機能させるか、を選択することで、庇の長さを調整できる。【選択図】図１
2008297728.tif 000002
【特許請求の範囲】
【請求項１】
建物の開口部を閉鎖可能にされたシャッタであって、
縦方向において複数の分割シャッタに分割可能とされたことを特徴とするシャッタ。
【請求項２】
前記分割シャッタと前記分割シャッタとを連結及び分離可能にする連結分離手段を備えたことを特徴とする請求項１記載のシャッタ。
【請求項３】
前記分割シャッタに設けられ、前記分割シャッタを補強する補強部材を備えたことを特徴とする請求項１又は請求項２記載のシャッタ。
【請求項４】
建物の開口部を閉鎖可能にされたシャッタであって、
横方向へ延伸され、回転可能にされたスラットを備えたことを特徴とするシャッタ。
【請求項５】
前記スラットは、流体を遮断する遮断回転位置と流体を通過させる通過回転位置とに回転可能にされたことを特徴とする請求項４記載のシャッタ。
【請求項６】
前記スラットは、遮断回転位置に回転された際に、回転径方向端部において、他のスラットに重合することを特徴とする請求項５記載のシャッタ。
【請求項７】
建物の開口部を閉鎖可能にされたシャッタであって、
横方向へ延伸されたスラットを備え、前記スラットは横設された際に前記スラットの長手方向に延設された溝部において液体が流れることができることを特徴とするシャッタ。
【請求項８】
建物の開口部を閉鎖可能にされたシャッタであって、
横方向へ延伸されたスラットを備え、前記スラットは横設された際に前記スラットの長手方向端部側へ向かうに従い下側へ向かう方向へ傾斜されることを特徴とするシャッタ。
【請求項９】
建物の開口部を閉鎖可能にされたシャッタであって、
横方向へ延伸され、横設可能にされたスラットと、
前記スラットの長手方向端部に設けられ、前記スラットが横設された際に前記スラットと共に横設されて前記スラットからの液体を受ける液受部材と、
を備えたことを特徴とするシャッタ。
【請求項１０】
横設された前記液受部材からの液体を案内する案内部材を備えたことを特徴とする請求項９記載のシャッタ。
【請求項１１】
前記スラットは、長手方向に沿って湾曲されたことを特徴とする請求項７〜請求項１０の何れか１項記載のシャッタ。
【発明の詳細な説明】
【技術分野】
【０００１】
本発明は、建物の開口部を閉鎖可能にされたシャッタに関する。
【背景技術】
【０００２】
住宅としては、窓部に設けられた蔀戸が上端を中心に回動可能にされると共に、蔀戸が窓部から略垂直に突出する回動位置に配置されることで蔀戸が庇として機能するものがある（例えば、特許文献１参照）。
【０００３】
しかしながら、この住宅では、庇として機能する蔀戸の長さ（窓部からの突出量）を調整することができない。
【０００４】
さらに、蔀戸が格子状のパネルから構成されているため、蔀戸が空気や雨を常に通過させてしまう。
【特許文献１】特開２００４−１００２９８公報
【発明の開示】
【発明が解決しようとする課題】
【０００５】
本発明は、上記事実を考慮し、庇として機能する場合に庇の長さを調整できるシャッタ、雨水や風等の流体の遮断と通過とを切替可能にできるシャッタ、及び、庇として機能する場合に雨水等の液体を良好に案内できるシャッタを得ることが目的である。
【課題を解決するための手段】
【０００６】
請求項１に記載のシャッタは、建物の開口部を閉鎖可能にされたシャッタであって、縦方向において複数の分割シャッタに分割可能とされたことを特徴としている。
【０００７】
請求項２に記載のシャッタは、請求項１に記載のシャッタにおいて、前記分割シャッタと前記分割シャッタとを連結及び分離可能にする連結分離手段を備えたことを特徴としている。
【０００８】
請求項３に記載のシャッタは、請求項１又は請求項２に記載のシャッタにおいて、前記分割シャッタに設けられ、前記分割シャッタを補強する補強部材を備えたことを特徴としている。
【０００９】
請求項４に記載のシャッタは、建物の開口部を閉鎖可能にされたシャッタであって、横方向へ延伸され、回転可能にされたスラットを備えたことを特徴としている。
【００１０】
請求項５に記載のシャッタは、請求項４に記載のシャッタにおいて、前記スラットは、流体を遮断する遮断回転位置と流体を通過させる通過回転位置とに回転可能にされたことを特徴としている。
【００１１】
請求項６に記載のシャッタは、請求項５に記載のシャッタにおいて、前記スラットは、遮断回転位置に回転された際に、回転径方向端部において、他のスラットに重合することを特徴としている。
【００１２】
請求項７に記載のシャッタは、建物の開口部を閉鎖可能にされたシャッタであって、横方向へ延伸されたスラットを備え、前記スラットは横設された際に前記スラットの長手方向に延設された溝部において液体が流れることができることを特徴としている。
【００１３】
請求項８に記載のシャッタは、建物の開口部を閉鎖可能にされたシャッタであって、横方向へ延伸されたスラットを備え、前記スラットは横設された際に前記スラットの長手方向端部側へ向かうに従い下側へ向かう方向へ傾斜されることを特徴としている。
【００１４】
請求項９に記載のシャッタは、建物の開口部を閉鎖可能にされたシャッタであって、横方向へ延伸され、横設可能にされたスラットと、前記スラットの長手方向端部に設けられ、前記スラットが横設された際に前記スラットと共に横設されて前記スラットからの液体を受ける液受部材と、を備えたことを特徴としている。
【００１５】
請求項１０に記載のシャッタは、請求項９に記載のシャッタにおいて、横設された前記液受部材からの液体を案内する案内部材を備えたことを特徴としている。
【００１６】
請求項１１に記載のシャッタは、請求項７〜請求項１０の何れか１項に記載のシャッタにおいて、前記スラットは、長手方向に沿って湾曲されたことを特徴としている。
【発明の効果】
【００１７】
請求項１に記載のシャッタは、建物の開口部を閉鎖可能にされている。
【００１８】
ここで、縦方向において複数の分割シャッタに分割可能とされている。このため、庇として機能する場合には、庇として機能させる分割シャッタの数を調整することで、庇の長さを調整することができる。
【００１９】
請求項２に記載のシャッタでは、連結分離手段が分割シャッタと分割シャッタとを連結及び分離可能にする。このため、分割シャッタと分割シャッタとを容易に連結及び分離することができる。
【００２０】
請求項３に記載のシャッタでは、分割シャッタに設けられた補強部材が、分割シャッタを補強している。このため、分割シャッタの強度及び剛性を向上させることができる。
【００２１】
請求項４に記載のシャッタは、建物の開口部を閉鎖可能にされている。
【００２２】
ここで、横方向へ延伸されたスラットが回転可能にされている。このため、雨水や風等の流体の遮断と通過とを切替可能にすることができる。
【００２３】
請求項５に記載のシャッタでは、スラットが、流体を遮断する遮断回転位置と、流体を通過させる通過回転位置と、に回転可能にされている。このため、流体の遮断と通過とを切り替えることができる。
【００２４】
請求項６に記載のシャッタでは、スラットが遮断回転位置に回転された際に、スラットが回転径方向端部において他のスラットに重合する。このため、流体を良好に遮断することができる。
【００２５】
請求項７に記載のシャッタは、建物の開口部を閉鎖可能にされている。
【００２６】
ここで、横方向へ延伸されたスラットが横設された際に、スラットの長手方向に延設された溝部において雨水等の液体が流れることができる。このため、庇として機能する場合に、スラットへの液体を良好に案内することができる。
【００２７】
請求項８に記載のシャッタは、建物の開口部を閉鎖可能にされている。
【００２８】
ここで、横方向へ延伸されたスラットが横設された際に、スラットが長手方向端部側へ向かうに従い下側へ向かう方向へ傾斜される。このため、庇として機能する場合に、スラットへの雨水等の液体を良好に案内することができる。
【００２９】
請求項９に記載のシャッタは、建物の開口部を閉鎖可能にされている。
【００３０】
ここで、横方向へ延伸されたスラットの長手方向端部に液受部材が設けられており、スラットが横設された際にスラットと共に液受部材が横設されてスラットからの雨水等の液体を受ける。このため、庇として機能する場合に、スラットからの液体を良好に案内することができる。
【００３１】
請求項１０に記載のシャッタでは、横設された液受部材からの液体を案内する案内部材を備えている。このため、庇として機能する場合に、液受部材からの液体を良好に案内することができる。
【００３２】
請求項１１に記載のシャッタでは、スラットが長手方向に沿って湾曲されている。このため、庇として機能する場合に、スラットへの液体を一層良好に案内することができる。
【発明を実施するための最良の形態】
【００３３】
図１には、本発明の実施の形態に係るシャッタ１０が適用されて構成された建物としての住宅１２（特にユニット住宅）の主要部が側方から見た断面図にて示されている。なお、図面では、住宅１２の外方（室外側）を矢印ＯＵＴで示し、住宅１２の上方を矢印ＵＰで示す。
【００３４】
本実施の形態における住宅１２には、１階部分（１階より上階の部分でもよい）において、矩形状の開口部１４が設けられており、開口部１４は、住宅１２の室内１６を開放可能にされている。開口部１４には、窓１８が設けられており、窓１８は、開口部１４を開閉可能にされている。
【００３５】
本実施の形態に係るシャッタ１０は、住宅１２の開口部１４外側に設けられており、シャッタ１０は開口部１４を閉鎖している。
【００３６】
図５に詳細に示す如く、シャッタ１０の外周全体には、矩形枠状のシャッタ枠２０が設けられており、シャッタ枠２０は、住宅１２の開口部１４外周における外壁面１２Ａに固定されている。
【００３７】
シャッタ枠２０の内部には、シャッタ本体２２が設けられており、シャッタ本体２２には、左右方向（シャッタ１０の横方向）両端において、断面コ字形板状の本体枠２４が設けられている。本体枠２４の上端及び下端には、回動手段としてのステイアーム２６の一端が回動可能に連結されており、上側のステイアーム２６の他端が、シャッタ枠２０の左右方向端部の上端に回動可能に連結されると共に、下側のステイアーム２６の他端が、シャッタ枠２０の左右方向端部の下端に回動可能に連結されることで、シャッタ本体２２がシャッタ枠２０に支持されている。
【００３８】
一対の本体枠２４間には、長尺略矩形板状のスラット２８が複数設けられており、複数のスラット２８は、それぞれ左右方向に沿って延伸されると共に、上下方向（シャッタ１０の縦方向）に並べられている。図６（Ａ）に示す如く、スラット２８には、幅方向中央において、支持部材としての円軸状の固定金具３０が固定されており、固定金具３０の軸方向両端は、固定部材としての長尺棒状のスラット固定シャフト３２に回転可能に支持されている。スラット固定シャフト３２は、本体枠２４の内部に固定されており、これにより、複数のスラット２８が一対の本体枠２４に取り付けられている。複数のスラット２８は、遮断回転位置に配置されており、上側のスラット２８と下側のスラット２８とが、それぞれの幅方向端部において、重合されることで、複数のスラット２８が雨水や風（流体）及び日射を遮断（遮蔽）可能にされている。スラット２８は、断面Ｓ字状にされており、スラット２８の幅方向一端部には、長手方向（左右方向）に沿って断面略半円状の溝部３４が形成されている。図７に示す如く、スラット２８は、長手方向に沿って弓状に湾曲（傾斜）されており、スラット２８は、長手方向両端部が長手方向中央部に比し室内１６側に配置されている。
【００３９】
図１に示す如く、シャッタ本体２２は、上下方向において、分割シャッタとしての上シャッタ３６、中シャッタ３８及び下シャッタ４０に分割されており、上シャッタ３６の上下方向長さは、２５０ｍｍ以下にされている。上シャッタ３６と中シャッタ３８とは、各一対の本体枠２４において、連結分離手段としての蝶番４２によって連結されており、上シャッタ３６と中シャッタ３８とは、相対回動不能にされている。中シャッタ３８と下シャッタ４０とは、各一対の本体枠２４において、同様の蝶番４２によって連結されており、中シャッタ３８と下シャッタ４０とは、相対回動不能にされている。また、上シャッタ３６と中シャッタ３８とは、一対の蝶番４２が取り外されることで、分離可能にされると共に、中シャッタ３８と下シャッタ４０とは、一対の蝶番４２が取り外されることで、分離可能にされている。さらに、上シャッタ３６及び下シャッタ４０から中シャッタ３８が分離された際には、上シャッタ３６及び下シャッタ４０とは別に、中シャッタ３８をシャッタ枠２０に独立して支持可能にされている。
【００４０】
図７に示す如く、上シャッタ３６及び中シャッタ３８における複数のスラット２８の長手方向両側には、液受部材としての断面略Ｊ字形長尺板状の雨水レール４４が配置されており、雨水レール４４は、本体枠２４に固定されて、スラット２８の長手方向外側及び長手方向端部の室内１６側を被覆している。また、上シャッタ３６における雨水レール４４と中シャッタ３８における雨水レール４４とは連通されており、上シャッタ３６と中シャッタ３８とが分離された際には、上シャッタ３６における雨水レール４４と中シャッタ３８における雨水レール４４とが分離可能にされている。
【００４１】
図８に示す如く、上シャッタ３６における一対の雨水レール４４の上端に対応して、シャッタ枠２０の左右方向両端部には、案内部材としての長尺筒状の雨樋４６が固定されており、雨樋４６は上下方向に沿って配置されている。
【００４２】
図６の（Ａ）及び（Ｂ）に示す如く、上シャッタ３６及び中シャッタ３８における複数の固定金具３０の軸方向端部は、それぞれモータ等の駆動装置（図示省略）に接続されており、駆動装置が駆動されることで、固定金具３０が回転されて、スラット２８が電動で回転可能にされている。これにより、複数のスラット２８は、通過回転位置に配置可能にされており、複数のスラット２８が通過回転位置に配置された際には、上側のスラット２８と下側のスラット２８との重合が解除されて、複数のスラット２８が雨水や風及び日射を通過可能にされている。また、複数のスラット２８が通過回転位置に配置された際には、複数のスラット２８の回転位置は、自由に調整可能にされている。
【００４３】
上シャッタ３６（中シャッタ３８でもよい）におけるスラット２８には、室外側の面において、検出手段としての雨滴センサ４８が固定されており、雨滴センサ４８は雨滴（液体）を検出可能にされている。雨滴センサ４８は、制御装置（図示省略）に接続されると共に、制御装置は駆動装置に接続されており、制御装置は、雨滴センサ４８の検出結果に基づき駆動装置を駆動可能にされている。
【００４４】
下シャッタ４０における複数のスラット２８の室内１６側には、図９に示す補強部材５０が固定されており、補強部材５０の外周には、矩形枠状の補強枠５２が設けられると共に、補強枠５２内には、複数の補強板５４が左右方向に間隔をあけて上下方向へ架け渡されている。これにより、補強部材５０が下シャッタ４０を補強している。
【００４５】
図２に示す如く、上シャッタ３６と中シャッタ３８とが分離された際には、上シャッタ３６がシャッタ枠２０に対し上側の一対のステイアーム２６を介して回動可能にされており、上シャッタ３６がシャッタ枠２０に対し回動される際には、上側の一対のステイアーム２６が伸縮される。上シャッタ３６がシャッタ枠２０に対し室外側へ所定角度（９０°以上）回動された際には、上側の一対のステイアーム２６の伸張とシャッタ枠２０及び上シャッタ３６に対する回動とがロックされて、上シャッタ３６のシャッタ枠２０に対する回動がロックされることで、上シャッタ３６が横設される。
【００４６】
図３及び図４に示す如く、中シャッタ３８と下シャッタ４０とが分離された際には、上シャッタ３６及び中シャッタ３８がシャッタ枠２０に対し上側の一対のステイアーム２６を介して回動可能にされており、上シャッタ３６及び中シャッタ３８がシャッタ枠２０に対し回動される際には、上側の一対のステイアーム２６が伸縮される。上シャッタ３６及び中シャッタ３８がシャッタ枠２０に対し室外側へ所定角度（９０°以上）回動された際には、上側の一対のステイアーム２６の伸張とシャッタ枠２０及び上シャッタ３６に対する回動とがロックされて、上シャッタ３６及び中シャッタ３８のシャッタ枠２０に対する回動がロックされることで、上シャッタ３６及び中シャッタ３８が横設される。
【００４７】
図４に示す如く、中シャッタ３８と下シャッタ４０とが分離された際には、下シャッタ４０がシャッタ枠２０に対し下側の一対のステイアーム２６を介して回動可能にされており、下シャッタ４０がシャッタ枠２０に対し回動される際には、下側の一対のステイアーム２６が伸縮される。下シャッタ４０がシャッタ枠２０に対し室外側へ特定角度（特に９０°）回動された際には、下側の一対のステイアーム２６の伸張とシャッタ枠２０及び下シャッタ４０に対する回動とがロックされて、下シャッタ４０のシャッタ枠２０に対する回動がロックされることで、下シャッタ４０が横設される。
【００４８】
次に、本実施の形態の作用を説明する。
【００４９】
以上の構成のシャッタ１０は、図１に示す如く、住宅１２の開口部１４を閉鎖している。このため、シャッタ１０が住宅１２の防犯機能を有することができる。
【００５０】
また、シャッタ本体２２の上シャッタ３６と中シャッタ３８とが一対の蝶番４２によって連結及び分離可能にされると共に、シャッタ本体２２の中シャッタ３８と下シャッタ４０とが一対の蝶番４２によって連結及び分離可能にされている。このため、上シャッタ３６と中シャッタ３８とを容易に連結及び分離することができると共に、中シャッタ３８と下シャッタ４０とを容易に連結及び分離することができる。
【００５１】
さらに、図２に示す如く、上シャッタ３６と中シャッタ３８とが分離された際には、上シャッタ３６がシャッタ枠２０に対し室外側へ所定角度（９０°以上）回動されてロック可能にされる。図３及び図４に示す如く、中シャッタ３８と下シャッタ４０とが分離された際には、上シャッタ３６及び中シャッタ３８がシャッタ枠２０に対し室外側へ所定角度（９０°以上）回動されてロック可能にされると共に、下シャッタ４０がシャッタ枠２０に対し室外側へ特定角度（特に９０°）回動されてロック可能にされている。
【００５２】
ここで、上シャッタ３６がシャッタ枠２０に対し室外側へ所定角度回動されてロックされた際には、依然として、シャッタ１０が住宅１２の防犯機能を有することができる。
【００５３】
また、上シャッタ３６又は上シャッタ３６及び中シャッタ３８がシャッタ枠２０に対し室外側へ所定角度回動されてロックされた際、及び、下シャッタ４０がシャッタ枠２０に対し室外側へ特定角度回動されてロックされた際には、室内１６への通風が可能になる。
【００５４】
さらに、上シャッタ３６又は上シャッタ３６及び中シャッタ３８がシャッタ枠２０に対し室外側へ所定角度回動されてロックされた際には、上シャッタ３６又は上シャッタ３６及び中シャッタ３８が、庇として機能して、昼間の晴天時には日射遮断（遮蔽）機能を有することができると共に、雨天時には雨水（雨滴）遮断（遮蔽）機能を有することができる。この際、上シャッタ３６又は上シャッタ３６及び中シャッタ３８に洗濯物５６を吊るすことで、上シャッタ３６又は上シャッタ３６及び中シャッタ３８が物干し機能も有することができる（図４参照）。なお、特に夜間や冬季の昼間の晴天時には、上シャッタ３６がシャッタ枠２０に対し室外側へ所定角度回動されてロックされる。一方、特に雨天時や夏季の昼間の晴天時には、上シャッタ３６及び中シャッタ３８がシャッタ枠２０に対し室外側へ所定角度回動されてロックされる。このように、上シャッタ３６を庇として機能させるか、又は、上シャッタ３６及び中シャッタ３８を庇として機能させるか、を選択することで、季節やシーン等に合わせて、庇の長さを調整することができる。
【００５５】
また、図７に示す如く、複数のスラット２８は、長手方向に沿って弓状に湾曲されている。このため、上シャッタ３６又は上シャッタ３６及び中シャッタ３８がシャッタ枠２０に対し室外側へ所定角度回動されてロックされた際には、降雨時において、上シャッタ３６又は上シャッタ３６及び中シャッタ３８への雨水が、複数のスラット２８の長手方向両側へ溝部３４（図６（Ａ）参照）に沿って流下して（案内されて）、一対の雨水レール４４を介して一対の雨樋４６（図８参照）へ流下する（下側へ案内される）。これにより、上シャッタ３６の周囲又は上シャッタ３６及び中シャッタ３８の周囲からの雨水の流下を抑制できる。
【００５６】
さらに、図６（Ａ）に示す如く、上シャッタ３６及び中シャッタ３８においては、隣り合う一対のスラット２８がそれぞれの幅方向端部において重合されている。このため、複数のスラット２８が雨水や風及び日射を良好に遮断することができる。
【００５７】
また、図６（Ｂ）に示す如く、特に上シャッタ３６又は上シャッタ３６及び中シャッタ３８がシャッタ枠２０に対し室外側へ所定角度回動されてロックされた際には、上シャッタ３６又は上シャッタ３６及び中シャッタ３８において、制御装置によって駆動装置が駆動されて、固定金具３０が回転されることで、複数のスラット２８が、遮断回転位置から通過回転位置に回転されて、雨水や風及び日射を通過させることができる。しかも、複数のスラット２８が通過回転位置に配置された際には、複数のスラット２８の回転位置が調整されることで、複数のスラット２８における雨水や風及び日射の通過量を調整することができる。
【００５８】
さらに、上シャッタ３６又は上シャッタ３６及び中シャッタ３８において、複数のスラット２８が通過回転位置に配置された際に、雨滴センサ４８が雨滴を検出すると、制御装置によって駆動装置が駆動されることで、複数のスラット２８が遮断回転位置に回転される。これにより、複数のスラット２８が雨水や風及び日射を遮断することができる。
【００５９】
また、下シャッタ４０がシャッタ枠２０に対し室外側へ特定角度回動されてロックされた際には、下シャッタ４０が縁側として機能することができる（図４参照）。しかも、下シャッタ４０が補強部材５０によって補強されているため、下シャッタ４０の強度及び剛性を向上させることができて、下シャッタ４０が縁側としての強度及び剛性を確保することができる。
【００６０】
なお、本実施の形態では、シャッタ本体２２を上シャッタ３６と中シャッタ３８と下シャッタ４０との３つの分割シャッタに分割した構成としたが、シャッタ本体２２を２つ又は４つ以上の分割シャッタに分割した構成としてもよい。
【図面の簡単な説明】
【００６１】
【図１】本発明の実施の形態に係るシャッタが適用されて構成された住宅の主要部を示す側方から見た断面図である。
【図２】本発明の実施の形態に係るシャッタにおいて上シャッタがシャッタ枠に対し室外側へ所定角度回動されてロックされた状態を示す側方から見た断面図である。
【図３】本発明の実施の形態に係るシャッタにおいて上シャッタ及び中シャッタがシャッタ枠に対し室外側へ所定角度回動されてロックされた状態を示す側方から見た断面図である。
【図４】本発明の実施の形態に係るシャッタにおいて上シャッタ及び中シャッタがシャッタ枠に対し室外側へ所定角度回動されてロックされると共に下シャッタがシャッタ枠に対し室外側へ特定角度回動されてロックされた状態を示す側方から見た断面図である。
【図５】本発明の実施の形態に係るシャッタを示す室内側から見た背面図である。
【図６】（Ａ）及び（Ｂ）は、本発明の実施の形態に係るシャッタにおけるスラットを示す側方から見た断面図であり、（Ａ）は、スラットが遮断回転位置に配置された状態を示す図であり、（Ｂ）は、スラットが通過回転位置に配置された状態を示す図である。
【図７】本発明の実施の形態に係るシャッタにおけるシャッタ本体を示す上方から見た断面図である。
【図８】本発明の実施の形態に係るシャッタにおいて上シャッタ又は上シャッタ及び中シャッタがシャッタ枠に対し室外側へ所定角度回動されてロックされた状態を詳細に示す側方から見た断面図である。
【図９】本発明の実施の形態に係るシャッタにおける補強部材を示す室内側から見た背面図である。
【符号の説明】
【００６２】
１０    シャッタ
１２    住宅（建物）
１４    開口部
２８    スラット
３４    溝部
３６    上シャッタ（分割シャッタ）
３８    中シャッタ（分割シャッタ）
４０    下シャッタ（分割シャッタ）
４２    蝶番（連結分離手段）
４４    雨水レール（液受部材）
４６    雨樋（案内部材）
５０    補強部材
【図１】
2008297728.tif 000003
【図２】
2008297728.tif 000004
【図３】
2008297728.tif 000005
【図４】
2008297728.tif 000006
【図５】
2008297728.tif 000007
【図６】
2008297728.tif 000008
【図７】
2008297728.tif 000009
【図８】
2008297728.tif 000010
【図９】
2008297728.tif 000011